(57)【要約】【課題】三つ折状のカード取り付け用台紙に複数のカードを取り付けてなるカード取り付け台紙の提供を課題とする。【解決手段】三つのリーフ部が連設されてなる三つ折状のカード取り付け用台紙の二つのカード取り付け用のリーフ部の対峙するカード取り付け面に複数枚のカードが取り付けられてなるカード取り付け台紙であって、個々のカードはその外部の一端部に貼り付け部を有するカード収納小袋のそれぞれに個別に収納されていると共に、複数個のカード収納小袋は、そこに収納されている個々のカードの端部が階段状となって重畳するように、個々の貼り付け部でカード取り付け用台紙のカード取り付け用のリーフ部に貼り付けられていることを特徴とする、カード取り付け台紙。【選択図】図１
2011046148.tif 000002
【特許請求の範囲】
【請求項１】
三つのリーフ部が連設されてなる三つ折状のカード取り付け用台紙の二つのカード取り付け用のリーフ部の対峙するカード取り付け面に複数枚のカードが取り付けられてなるカード取り付け台紙であって、個々のカードはその外部の一端部に貼り付け部を有するカード収納小袋のそれぞれに個別に収納されていると共に、複数個のカード収納小袋は、そこに収納されている個々のカードの端部が階段状となって重畳するように、個々の貼り付け部でカード取り付け用台紙のカード取り付け用のリーフ部に貼り付けられていることを特徴とする、カード取り付け台紙。
【請求項２】
前記複数個のカード収納小袋は、一端の近傍にエンボス部が設けられているカードがそれぞれ収納されていると共に、収納されている個々のカードのエンボス部が他のカードを押圧しないようにずらされ、カード端部が階段状となって重畳するように、個々の貼り付け部でカード取り付け用台紙に貼り付けられていることを特徴とする請求項１記載のカード取り付け台紙。
【発明の詳細な説明】
【技術分野】
【０００１】
本発明は、三つ折状のカード取り付け用台紙に複数のカードを取り付けてなるカード取り付け台紙に関する。
【背景技術】
【０００２】
カード発行会社との契約に基づいて発行された、クレジットカード、キャッシュカード、会員カード等のカードは、一般的にはカード貼り付け用台紙に貼り付けられた状態で顧客に送られることになる。より具体的には、図４に示すように、三つのリーフ部１１、１２、１３が連設されてなる三つ折状のカード貼り付け用台紙１４のカード貼り付け用のリーフ部１１、１２の対峙するカード貼り付け面に、発行されたカード１７、１７・・・をその全面がカード貼り付け用台紙のリーフ部１１、１２に当接するようにして粘着剤等により貼り付け（図４（ａ）参照）、しかる後にカード貼り付け用台紙１４をＺ状に折り畳み（図４（ｂ）、（ｃ）参照）、そして最後に封筒２０に入れ（図４（ｄ）参照）、顧客に送られている。
【０００３】
最近は、このようにして発送されるカードの１発送当たりの送付枚数が次第に多くなる傾向にあり、場合によっては５枚以上になることもある。
１回に発送されるカードの数が４枚までであれば、現在行われているように、定型のカード貼り付け用台紙の長手方向にカードの長手方向が一致するようにしてカード貼り付け用台紙も適宜箇所に貼り付け、顧客に発送することができる。
【０００４】
図４には、４枚のカード１７、１７、１７、１７を三つのリーフ部１１、１２、１３が連設されてなる三つ折状のカード貼り付け用台紙１４のカード貼り付け用のリーフ部１１、１２の対峙するカード貼り付け面に従来の方法で貼り付けた例が示してある。このように、カードが４枚までであれば、従来のような貼り付け方法で定型のカード貼り付け用台紙にカードを貼り付け、発送することができる。
【０００５】
しかし、１回の発送枚数が５枚以上になると、定型のカード貼り付け用台紙の大きさがカードを貼り付けるのに必要な面積よりも小さくなってしまうため、それらの全てを貼り付けることができなくなってしまう。発送に使用する封筒は定型のものを使用するため、多くのカードを貼り付けて送れるように台紙のみを大きくしてそこへ多くのカードを貼り付けて発送することはできない。
【０００６】
カード貼り付け用台紙の長手方向とカードの長手方向が直交するようにして貼り付ける方法によれば５枚、あるいは６枚までは、定型のカード貼り付け用台紙に貼り付けることが計算上は可能である。
しかしながら、このようにして５枚、あるいは６枚のカードがカード貼り付け用台紙に貼り付けられたとしても、例えば、貼り付けられるカードがその一部にエンボス部を有するカードである場合、一方のリーフ部に貼り付けられているカードのエンボス部が対峙するもう一方のリーフ部に貼り付けられている他のカードを強く押し付けることになってしまうため、エンボス部が潰れたり、カード表面に傷を付けてしまうことがある。因みに、４枚のカードを貼り付ける場合は、たとえカードがエンボス部を有するものであったとしても、台紙への貼り付け位置を工夫することによってエンボス部で他のカードを押し付けることが無いようにして貼り付けることが可能である。
【先行技術文献】
【特許文献】
【０００７】
【特許文献１】特開平５−１６９８８２号公報
【発明の概要】
【発明が解決しようとする課題】
【０００８】
本発明は以上のような状況に鑑みなされたものであり、三つのリーフ部が連設されてなる定型の三つ折状のカード取り付け用台紙のカード取り付け用のリーフ部に、数多くのカードを効率よく、しかもカードに設けられているエンボス部を潰したり、カード表面を傷付けることがないように取り付けてなるカード取り付け台紙の提供を目的とする。
【課題を解決するための手段】
【０００９】
以上のような課題を達成するためになされ、請求項１記載の発明は、三つのリーフ部が連設されてなる三つ折状のカード取り付け用台紙の二つのカード取り付け用のリーフ部の対峙するカード取り付け面に複数枚のカードが取り付けられてなるカード取り付け台紙であって、個々のカードはその外部の一端部に貼り付け部を有するカード収納小袋のそれぞれに個別に収納されていると共に、複数個のカード収納小袋は、そこに収納されている個々のカードの端部が階段状となって重畳するように、個々の貼り付け部でカード取り付け用台紙のカード取り付け用のリーフ部に貼り付けられていることを特徴とする、カード取り付け台紙である。
【００１０】
また、請求項２に記載の発明は、請求項１記載のカード取り付け台紙において、前記複数個のカード収納小袋は、一端の近傍にエンボス部が設けられているカードがそれぞれ収納されていると共に、収納されている個々のカードのエンボス部が他のカードを押圧しないようにずらされ、カード端部が階段状となって重畳するように、個々の貼り付け部でカード取り付け用台紙に貼り付けられていることを特徴とする。
【発明の効果】
【００１１】
本発明のカード取り付け台紙は、三つのリーフ部が連設されてなる三つ折状のカード取り付け用台紙のカード取り付け用のリーフ部の対峙するカード取り付け面に複数枚のカードが取り付けられてなるカード取り付け台紙であって、個々のカードはその外部の一端部に貼り付け部を有するカード収納小袋のそれぞれに個別に収納されていると共に、複数個のカード収納小袋は、そこに収納されている個々のカードが、それらの端部が階段状となって重畳するように、個々の貼り付け部でカード取り付け用台紙に貼り付けられているので、カード取り付け用のリーフ部に数多くのカードを効率よく、しかもカードに設けられているエンボス部を潰したり、カード表面を傷付けることがないように取り付けることができる。
【図面の簡単な説明】
【００１２】
【図１】本発明のカード取り付け台紙の概略の断面構成を示す説明図である。
【図２】本発明のカード取り付け台紙の概略の構成を示す斜視説明図である。
【図３】カードが外部の一端部に貼り付け部を有するカード収納小袋に収納された状態を示す説明であり、（ａ）は平面状態を、（ｂ）は断面状態をそれぞれ示している。
【図４】従来のカード貼り付け台紙の概略の構成とカード貼り付け台紙を封筒内に収納した状態を示す説明図である。
【発明を実施するための形態】
【００１３】
以下、図面を参照して本発明のカード取り付け台紙を詳細に説明する。
本発明のカード取り付け台紙９は、図１や図２に示すように、三つのリーフ部１、２、３が連設されてなる三つ折状のカード取り付け用台紙４中のカード取り付け用のリーフ部１１、１２の対峙するカード取り付け面に、６枚のカード７、７・・・が取り付けられてなるものであって、個々のカード７はその外部の一端部に貼り付け部６を有するカード収
納小袋５のそれぞれに個別に収納されていると共に、６個のカード収納小袋５、５・・・は、そこに収納されている個々のカード７、７・・が、それらのその端部が階段状となって重畳するように、個々の貼り付け部６、６・・・でカード取り付け用のリーフ部１、２に貼り付けられてなるものである。
【００１４】
カードを取り付けるための貼り付け用台紙４は、上述したように、三つのリーフ部１、２、３が折り目を介して連設されてなる三つ折状のシート状の台紙であって、一般的には厚紙からなるものである。このような三つ折状のカード取り付け用台紙は、その中のカード取り付け用のリーフ部１、２に、後述するようにしてカードを一枚ずつ収納したカード収納小袋が貼り付けられた後、Ｚ状に折り畳まれ、発送用の封筒内に収納されるようになっている。従って、折り畳まれた時に上部に位置するリーフ部３の上面には発送先の住所や顧客の名前等が印字されていると共に、他の２枚のリーフ部、すなわちカード取り付け用のリーフ部１、２の対峙するそれぞれの面にはカード収納小袋５、５・・・が貼り付けられるようになっている。
【００１５】
本発明のカード取り付け台紙は、このような構成のカード取り付け用台紙４のカード取り付け用のリーフ部１、２の所定部分にカード７を位置させて取り付けられているわけであるが、従来のカード貼り付台紙のように、カードを直接貼り付けるのではなく、図３に示すように、まず取り付けようとする各カード７を外部の一端部に貼り付け部６を有するカード収納小袋５のそれぞれに個別に収納してからリーフ部１、２に貼り付けるようにする。
【００１６】
このカード収納小袋５は、図３にも示すように、カード７より若干大きめに作られている収納部に収納できるようになっていて、外部の一端部に設けられている貼り付け部６の部分でリーフ部１、２に貼り付けられるようになっている。このカード収納小袋５はプラスチックシートや紙等からなるものであればよいが、透明性を有し、収納されているカードが外部から認識できるようになっていることが好ましい。
【００１７】
カード収納小袋５のリーフ部１、２への貼り付けに際しては、図１や図２にも示すように、カード収納小袋５を、そこに収納されている個々のカード７がずらされ、各カード７、７・・・の端部が階段状となって重畳するように、個々の貼り付け部６で貼り付け用台紙４のリーフ部１、２に貼り付ければよい。貼り付けには、一般的な接着剤や粘着剤を使用すればよい。
【００１８】
このようにしてカード収納小袋をカード取り付け用のリーフ部に貼り付けると、従来の貼り付け方式に較べると、その貼り付けに必要とされるリーフ部の面積が少なくて済み、しかも余分な空間を作らずに取り付けることができるので、定型のカード取り付け用台紙に５枚以上のカードでも効率よく適正に取り付けることができるようになる。
【００１９】
一般的に、カードの使用者名やカード番号等がエンボスされてなるエンボス部８を有するカードにおいては、そのエンボス部がカードの一方の長辺の近傍に長辺方向に沿って線状に形成されているので、この部分が他のカードと当たらないようにカードのずらし量を設定してカード収納小袋をリーフ部に貼り付けるようにしておけば、あるカードのエンボス部がこれと重畳して位置する他のカードを押し付けることがなくなるため、エンボス部が潰れたり、カード表面を傷付けてしまうことがなくなる。
【００２０】
最近は、家族カードやリボカード、ＥＴＣカード等、一度に多くのカードを発送してほしいとの要望が増える傾向にあるが、本発明のカード取り付け台紙を用いることで多くのカードを一度に発送することができ、カードの発送に係る手間や発送費用等を抑えることができる。従って、例えば無料配布のポイントカード等を他のカードと一緒にして数多く
送れるようになり、従来にないカード発送サービスが提供できるようになる。
【符号の説明】
【００２１】
１・・・カード取り付け用のリーフ部
２・・・カード取り付け用のリーフ部
３・・・リーフ部
４・・・カード取り付け用台紙
５・・・カード収納小袋
６・・・貼り付け部
７・・・カード
８・・・エンボス部
９・・・カード取り付け台紙
１１・・カード貼り付け用のリーフ部
１２・・カード貼り付け用のリーフ部
１３・・リーフ部
１４・・カード貼り付け用台紙
１７・・カード
１９・・カード貼り付け台紙
２０・・封筒
【図１】
2011046148.tif 000003
【図２】
2011046148.tif 000004
【図３】
2011046148.tif 000005
【図４】
2011046148.tif 000006